(57)【要約】      （修正有）【課題】高周波数のデータ転送時に、信号品質の劣化や放射ノイズの増大を低減したカスケード接続方式ディスプレイ駆動装置を提供する。【解決手段】信号を分周し分割して出力する信号パラレル転送機能と、入力された周波数及び信号線数を保持し等倍で出力する信号転送機能の両方を有する信号制御回路を付加し、ディスプレイ駆動装置間の実効データ転送周波数を低減する。【選択図】図１
2007079190.tif 000002
【特許請求の範囲】
【請求項１】
タイミングコントローラと複数のディスプレイ駆動装置を備え、前記タイミングコントローラから初段の前記ディスプレイ駆動装置内に備えられた信号受信回路部に入力された複数の信号が、前記ディスプレイ駆動装置内に備えられた信号送信回路部によって次段の前記ディスプレイ駆動装置に転送され、受信時信号転送を行うディスプレイ駆動装置において、
複数の信号を受信する前記信号受信回路部と、
信号受信回路部から出力された信号をＮ分周し、Ｎ分割して出力する機能と、
信号受信回路部から出力された信号周波数と、信号線数のまま出力する機能とを持つ信号制御回路と、
信号制御回路から出力された信号を送信する送信回路部とで構成され、
Ｎは２の整数倍である
ことを特徴とするディスプレイ駆動装置。
【請求項２】
請求項１記載のディスプレイ駆動装置において、
前記ディスプレイ駆動装置の外部より入力される制御信号を受信し、選択信号を生成する選択回路を備え、
前記信号制御回路は前記選択信号によってどちらか一方の機能を停止する機能を備える
ことを特徴とするディスプレイ駆動装置。
【請求項３】
請求項１記載のディスプレイ駆動装置において、
前記信号選択回路は信号送信機能を有し、
前記初段のディスプレイ駆動装置のみ制御信号が入力され、次段以降の前記ディスプレイ駆動装置へは前記初段のディスプレイ駆動装置から順次転送される
ことを特徴とするディスプレイ駆動装置。
【請求項４】
請求項２または３記載のディスプレイ駆動装置において、
前記信号受信回路部は第１の受信回路群と第２の受信回路群とで構成されており、
前記タイミングコントローラからＭ本で出力される信号線数に対して、
前記第１の受信回路群はＭ／２個の第１の受信回路で構成され、Ｍ／２の出力端子を持ち、
前記第２の受信回路群は（Ｎ×Ｍ／２）個の第２の受信回路で構成され、（Ｎ×Ｍ／２）本の出力端子であるように構成され、
Ｍは２の整数倍であり、
第１の受信回路は差動信号受信回路であり、第２の受信回路はシングルエンド信号受信回路であり、
前記信号制御回路は前記選択信号により、第１の受信回路の出力端子と、第２の受信回路の出力端子のどちらか一方を選択して受信する機能を備える
ことを特徴とするディスプレイ駆動装置。
【請求項５】
請求項４記載のディスプレイ駆動装置において、
前記差動信号受信回路と前記シングルエンド信号受信回路の入力端子は、それぞれ別の端子を備える
ことを特徴とするディスプレイ駆動装置。
【請求項６】
請求項４記載のディスプレイ駆動装置において、
前記シングルエンド信号受信回路の入力端子は、前記差動信号受信回路の持つ二つの入力端子のいずれか一方に接続されている
ことを特徴とするディスプレイ駆動装置。
【請求項７】
請求項５または６記載のディスプレイ駆動装置において、
前記信号制御回路は、前記Ｍ本の信号のうちＣＬＫ信号だけお互いに異なった位相の２本のＣＬＫ信号として出力する機能を備える
ことを特徴とするディスプレイ駆動装置。
【請求項８】
請求項５または６記載のディスプレイ駆動装置において、
前記信号制御回路は、前記Ｍ本の信号のうちＣＬＫ信号だけ入力された周波数と同じ周波数で、お互いに位相の異なった２本のＣＬＫ信号として出力する機能を備える
ことを特徴とするディスプレイ駆動装置。
【請求項９】
請求項２または３記載のディスプレイ駆動装置において、
前記受信回路部は第１の受信回路群と、第２の受信回路群で構成されており、
前記タイミングコントローラからＭ本で出力される信号線数に対して、
前記第１の受信回路群はＭ／２個の第１の受信回路で構成され、Ｍ／２本の出力端子を持ち、
前記第２の受信回路群は（Ｎ×Ｍ／２−１）個の第２の受信回路で構成され、（Ｎ×Ｍ／２−１）本の出力端子であるように構成され、
Ｍは２の整数倍であり、
第１の受信回路は差動信号受信回路であり、第２の受信回路はシングルエンド信号受信回路であり、
前記信号制御回路は前記選択信号により、第１の受信回路の出力端子と、第２の受信回路の出力端子のどちらか一方を選択して受信する機能を備える
ことを特徴とするディスプレイ駆動装置。
【請求項１０】
請求項９記載のディスプレイ駆動装置において、
前記差動信号受信回路と前記シングルエンド信号受信回路の入力端子は、それぞれ別の端子を備える
ことを特徴とするディスプレイ駆動装置。
【請求項１１】
請求項９記載のディスプレイ駆動装置において、
前記シングルエンド信号の受信回路の入力端子は、前記差動信号受信回路の持つ二つの入力端子のいずれか一方に接続されている
ことを特徴とするディスプレイ駆動装置。
【請求項１２】
請求項１０または１１記載のディスプレイ駆動装置において、
前記信号制御回路は、前記Ｍ本の信号のうちＣＬＫ信号だけ１本で出力する機能を備える
ことを特徴とするディスプレイ駆動装置。
【請求項１３】
請求項１０または１１記載のディスプレイ駆動装置において、
前記信号制御回路は、前記Ｍ本の信号のうちＣＬＫ信号だけ入力された周波数と同じ周波数で１本のＣＬＫ信号として出力する機能を備える
ことを特徴とするディスプレイ駆動装置。
【請求項１４】
請求項４〜１３記載のいずれか１項のディスプレイ駆動装置において、
前記第１の受信回路群と前記第２の受信回路群は前記選択信号によってどちらか一方が停止する機能を備える
ことを特徴とするディスプレイ駆動装置。
【請求項１５】
請求項２または３記載のディスプレイ駆動装置において、
前記受信回路部は第２の受信回路群で構成されており、
前記タイミングコントローラからＭ本で出力される信号線に対して、
前記第２の受信回路群は（Ｎ×Ｍ）個の第２の受信回路で構成され、（Ｎ×Ｍ）本の出力端子を持ち、
Ｍは２の整数倍であり、
前記第２の受信回路はシングルエンド信号受信回路であり、
前記信号制御回路は前記選択信号により、前記第２の受信回路群の出力端子のうち、全ての出力端子と、信号が入力されている前記第２の受信回路の出力端子のどちらか一方を選択して受信する機能を備える
ことを特徴とするディスプレイ駆動装置。
【請求項１６】
請求項１５記載のディスプレイ駆動装置において、
前記信号制御回路は、前記Ｍ本の信号のうちＣＬＫ信号だけお互いに位相の異なる２本のＣＬＫ信号として出力する機能を備える
ことを特徴とするディスプレイ駆動装置。
【請求項１７】
請求項１５記載のディスプレイ駆動装置において、
前記信号制御回路は、前記Ｍ本の信号のうちＣＬＫ信号だけ入力された周波数と同じ周波数でお互いに位相の異なる２本のＣＬＫ信号として出力する機能を備える
ことを特徴とするディスプレイ駆動装置。
【請求項１８】
請求項２または３記載のディスプレイ駆動装置において、
前記受信回路部は第２の受信回路群で構成されており、前記タイミングコントローラからＭ本で出力される信号線に対して、
前記第２の受信回路群は（Ｎ×Ｍ−１）個の第２の受信回路で構成され、（Ｎ×Ｍ−１）本の出力端子であるように構成され、
Ｍは２の整数倍であり、
前記第２の受信回路はシングルエンド信号受信回路であり、前記信号制御回路は前記選択信号により、前記第２の受信回路群の出力端子のうち、全ての出力端子と、信号が入力されている前記第２の受信回路の出力端子のどちらか一方を選択して受信する機能を備える
ことを特徴とするディスプレイ駆動装置。
【請求項１９】
請求項１８記載のディスプレイ駆動装置において、
前記信号制御回路は、前記Ｍ本の信号のうちＣＬＫ信号だけ分周しないで１本の信号線のまま出力する機能を備える
ことを特徴とするディスプレイ駆動装置。
【請求項２０】
請求項１５〜１９記載のいずれか１項のディスプレイ駆動装置において、
前記第２の受信回路群は、前記選択信号によって信号が入力されていない前記第２の受信回路を停止させる機能を備える
ことを特徴とするディスプレイ駆動装置。
【請求項２１】
請求項１〜１４記載のいずれか１項のディスプレイ駆動装置において、
前記信号受信回路部に、前記第１の受信回路群と前記第２の受信回路群と前記信号送信回路部とを備え、
前記信号送信回路部に、前記送信回路と前記信号受信回路部とを備える
ことを特徴とするディスプレイ駆動装置。
【請求項２２】
請求項１、２、または請求項１５〜１９に記載のいずれか１項のディスプレイ駆動装置において、
前記信号受信回路部に、前記第２の受信回路群と前記信号送信回路部とを備え、
前記信号送信回路部に、前記第２の受信回路群と前記信号受信回路部とを備える
ことを特徴とするディスプレイ駆動装置。
【請求項２３】
請求項１〜２２記載のいずれか１項のディスプレイ駆動装置において、
前記信号送信回路部は前記第２の受信回路群の出力端子と同じ数だけの送信回路で構成されており、
前記送信回路はシングルエンド信号送信回路である
ことを特徴とするディスプレイ駆動装置。
【請求項２４】
請求項１〜２２記載のいずれか１項のディスプレイ駆動装置において、
前記シングルエンド信号受信回路はバッファ回路である
ことを特徴とするディスプレイ駆動装置。
【請求項２５】
請求項１〜２２記載のいずれか１項のディスプレイ駆動装置において、
前記差動信号受信回路はコンパレータである
ことを特徴とするディスプレイ駆動装置。
【発明の詳細な説明】
【技術分野】
【０００１】
本発明は、液晶等ディスプレイ装置に関わり、特にディスプレイ駆動装置をカスケードに接続する方式のディスプレイ装置及びディスプレイ駆動装置に関する。
【背景技術】
【０００２】
従来のカスケード接続方式ディスプレイ装置は、例えば特許文献１に示されるように、タイミングコントローラから出力された表示データとクロック信号は、同じ信号周波数のまま各ディスプレイ駆動装置の信号線および各ディスプレイ駆動装置間の伝送路を介してカスケード接続された各ディスプレイ駆動装置に順次転送される。
【特許文献１】特開２００１−１７４８４３号公報
【発明の開示】
【発明が解決しようとする課題】
【０００３】
上記従来のカスケード接続方式ディスプレイ装置では、表示データやクロック信号等は図１６のようにディスプレイ駆動装置間を転送される際に、タイミングコントローラから出力された信号周波数のまま転送されていた。
【０００４】
ところが、ディスプレイ装置は画面の高インチ化、高精細化が進み高い信号転送レートを必要とするようになってきた。従来の技術では、タイミングコントローラから出力された信号周波数はそのまま転送されていたため、タイミングコントローラの出力信号周波数が高周波となった場合、ディスプレイ駆動装置間信号転送において信号品質の劣化、ＥＭＩの増加が見込まれ、カスケード接続方式以外の接続方式で転送を行う必要が有った。
【０００５】
従って、本発明は上記の課題を解決するために、コストを抑え、高転送レート化に対応するディスプレイ駆動装置を提供する事を目的とする。
【課題を解決するための手段】
【０００６】
従来のカスケード接続方式ディスプレイ装置では図１６のようにタイミングコントローラから出力された信号周波数のまま、ディスプレイ駆動装置間を表示データやクロック信号等は転送されていた。
【０００７】
本発明では、図１７のようにタイミングコントローラから出力された信号を、初段のディスプレイ駆動装置で分周、信号線数分割し次段のディスプレイ駆動装置へ転送し２段目以降のディスプレイ駆動装置ではその信号周波数、信号線数を保持して順次転送を行う。
【０００８】
このような構成にする事により、カスケード接続方式であっても、タイミングコントローラから高周波数で送信された信号を比較的低い周波数によってディスプレイ駆動装置間を転送させることができ、信号の高品質化さらにはＥＭＩを低減することができる。
【発明の効果】
【０００９】
本発明のディスプレイ駆動装置によれば、カスケード接続方式においても高転送レート信号の品質を劣化させることなく転送させることができ、さらにはＥＭＩを削減することができる。
【発明を実施するための最良の形態】
【００１０】
以下、本発明の実施の形態を、図面を参照しながら説明する。
【００１１】
図３は本発明が適用されるディスプレイ装置３１０の概略図であり、ディスプレイ装置の構造を簡単に説明する。
【００１２】
タイミングコントローラ１０は表示データ信号、クロック信号、制御信号等をディスプレイ駆動装置６０、ディスプレイ駆動装置３００へ送信し、ディスプレイ駆動装置６０は受信した信号を元にディスプレイを駆動し、ディスプレイ駆動装置３００はディスプレイの走査を行う。
【００１３】
タイミングコントローラ１０は、伝送路１００によってディスプレイ駆動装置６０、ディスプレイ駆動装置３００に接続されており、ディスプレイ駆動装置６０、ディスプレイ駆動装置３００は液晶パネルガラス基板上に接着され、伝送路２００によってカスケード接続されている。
【００１４】
タイミングコントローラ１０より出力された、表示データ信号、クロック信号、制御信号等は伝送路１００を通してディスプレイ駆動装置６０、ディスプレイ駆動装置３００に入力され、伝送路２００を通して順次ディスプレイ駆動装置６０、ディスプレイ駆動装置３００へ転送される。
【００１５】
（実施の形態１）
本発明の第１の実施形態について、図１等を用いて説明する。
【００１６】
図１においてタイミングコントローラ１０等から伝送路１０１を通してディスプレイ駆動装置６０に制御信号が入力され、選択回路８０が受信する。
【００１７】
このとき、制御信号がＨ信号であれば選択回路８０からは選択信号として信号線８１へＨ信号が、信号線８３へはＬ信号が出力され、ディスプレイ駆動装置６０は初段のディスプレイ駆動装置６０であると認識される。
【００１８】
制御信号がＬ信号であれば選択回路８０からは選択信号として信号線８１へＬ信号が、信号線８３へはＨ信号が出力され、ディスプレイ駆動装置６０は２段目以降のディスプレイ駆動装置６０であると認識される。
【００１９】
このとき、選択回路８０は図７（ａ）のように構成されており、入力端子にはバッファ回路が接続されており、バッファ回路の出力端子には信号線８１とインバータ回路が接続されており、インバータ回路の出力端子には信号線８３が接続されている。バッファ回路は選択回路へ入力された制御信号と同じ極性の選択信号を信号線８１へ出力し、インバータ回路は選択回路へ入力された制御信号と逆の極性の選択信号を信号線８３へ出力する。
バッファ回路の構成は一般的なバッファでよく、インバータ回路の構成は一般的なインバータでよい。
【００２０】
タイミングコントローラ１０から出力された複数の差動信号（表示データ信号、クロック信号）は、それぞれ伝送路１０１を通り初段のディスプレイ駆動装置６０へ入力される。初段のディスプレイ駆動装置６０では、Ｈ信号の制御信号が選択回路８０に入力され、選択回路８０によって選択信号が生成され、初段のディスプレイ駆動装置６０として動作するように機能が選択されている。
【００２１】
初段のディスプレイ駆動装置６０へ入力された差動信号は、信号受信回路部２０内の受信回路群２１でそれぞれ受信され、初段のディスプレイ駆動装置６０内の信号線２１１を通り信号制御回路５０へ入力される。
【００２２】
信号制御回路５０では、選択信号によって入力された信号を２分周し、さらに信号線本数を２倍にする機能が選択され、信号線２２１へ出力する。
【００２３】
信号制御回路５０から信号線２２１を通して出力された信号は信号送信回路部３０内の送信回路３１に入力され、シングルエンド信号で伝送路２０１へ出力され、次段のディスプレイ駆動装置６０へと転送される。
【００２４】
次段のディスプレイ駆動装置６０では、Ｌ信号の制御信号が選択回路８０に入力され、選択回路８０によって選択信号が生成され、次段のディスプレイ駆動装置６０として動作するように機能が選択されている。
【００２５】
次段のディスプレイ駆動装置６０へ入力されたシングルエンド信号は、信号受信回路部２０内の受信回路群２２でそれぞれ受信され、次段のディスプレイ駆動装置６０内の信号線２１１を通り信号制御回路５０へ入力される。
【００２６】
信号制御回路５０では、選択信号によって入力された信号の周波数と、信号線本数の関係を保ったまま出力する機能が選択され、信号線２２１へ出力する。
【００２７】
信号制御回路５０から信号線２２１を通して出力された信号は信号送信回路部３０内の送信回路３１に入力され、シングルエンド信号で伝送路２０１へ出力され、次段のディスプレイ駆動装置６０へと転送され、このように順次最後尾のディスプレイ駆動装置６０へと転送されていく。
【００２８】
ここで、信号受信回路部２０は図４（ａ）のように構成されている。信号受信回路部２０は、受信回路群２１と受信回路群２２で構成されており、受信回路群２１は差動信号受信回路として入力される信号線数の１／２の数のコンパレータ回路で構成され、信号受信回路群２２はシングルエンド信号受信回路として入力される信号線数と同じ数のバッファ回路で構成されている。また、コンパレータ回路の入力端子には、それぞれバッファ回路の入力端子が接続されている。このとき、コンパレータ回路は一般的なコンパレータでよく、バッファ回路は一般的なバッファでよい。
【００２９】
ここで、信号制御回路５０は図８のように構成されている。信号制御回路５０は分周出力回路５１と保持出力回路５２とで構成されており、分周出力回路５１は信号線２１１から入力される信号をバッファするバッファ回路と、バッファの出力信号を遮断もしくは導通させるスイッチ回路９０と、スイッチ回路９０から出力される信号をＣＬＫ信号または基準信号を基に分周し、信号線分割出力するためのフリップフロップ回路と、フリップフロップ回路から出力される信号をバッファし、信号線２２１へ出力するバッファ回路と、ＣＬＫ信号または基準信号を反転させるためのインバータ回路と、ＣＬＫ信号または基準信号を分周するための分周回路と、分周回路から出力されたＣＬＫ信号または基準信号をバッファし、信号線２２１へ出力するバッファ回路とで構成されている。
【００３０】
保持出力回路５２は信号線２１１から入力される信号をバッファするバッファ回路と、バッファの出力信号を遮断もしくは導通させるスイッチ回路９０と、スイッチ回路９０から出力される信号をバッファし、信号線２２１へ出力するためのバッファ回路とで構成されている。
【００３１】
このとき、スイッチ回路９０は信号線８１または信号線８３から入力される信号がＨ信号であれば導通状態となり、Ｌ信号であれば遮断状態となる。
【００３２】
選択回路８０に制御信号としてＨ信号が入力された場合、分周出力回路５１は、信号線２１１から入力される信号を受信し、受信した信号のうちＣＬＫ信号または基準信号を基にデータ信号を２分周し、さらに信号線数を２倍にして信号線２２１へと出力する。このとき、ＣＬＫ信号または基準信号も２分周し、信号線数を２倍にして信号線２２１へと出力する。
【００３３】
このとき、保持出力回路５２は信号線２１１から入力される信号はスイッチ回路９０によって接続が切断される。
【００３４】
ここで、選択回路８０に制御信号としてＬ信号が入力された場合、分周出力回路５１は、信号線２１１から入力される信号はスイッチ回路９０によって接続が切断され、保持出力回路５２は信号線２１１から入力された信号をバッファし、さらにバッファ回路によって信号線２２１へと出力する。
【００３５】
ここでスイッチ回路９０は一般的なスイッチでよいが、例えば図１３のように構成されている。図１３では、ＰＭＯＳトランジスタとＮＭＯＳトランジスタのソース端子とドレイン端子がそれぞれ図のように接続され、入力される選択信号はＮＭＯＳトランジスタへは直接接続され、ＰＭＯＳトランジスタへはインバータ回路を通して接続される。
【００３６】
選択回路にＨ信号が入力された場合、スイッチ回路９０は導通状態となり、Ｌ信号が入力された場合、スイッチ回路９０は遮断状態となる。
【００３７】
ここで、信号送信回路部３０は図６のように構成されている。信号送信回路部３０は受信回路群２２のシングルエンド信号受信回路と同じだけの数の送信回路３１で構成され、送信回路３１は伝送路２０１へシングルエンド信号を送信するバッファ回路で構成されている。
【００３８】
このような回路構成とする事により、初段のディスプレイ駆動装置６０から最終段のディスプレイ駆動装置６０までの信号伝送は、タイミングコントローラ１０から出力されたデータ信号の１／２の信号周波数で伝送する事が出来るため、簡易な伝送路設計でも伝送信号品質を保つことができ、さらにＥＭＩを削減する事ができる。
【００３９】
ここで、図４（ａ）の信号受信回路部２０の代わりに図４（ｂ）の信号受信回路部２０を用いても良い。図４（ｂ）の信号受信回路部２０では、受信回路群２１、受信回路群２２それぞれの入力端子をそれぞれ別々に持つ。このような構成にする事により、伝送路１０１および伝送路２０１の伝送路負荷を削減する事が出来る。
【００４０】
（実施の形態２）
第１の実施形態と同様の部分の説明は省き異なる部分のみ説明する。
【００４１】
第１の実施形態と異なるところは、図１の選択回路８０が図７（ｂ）に示す構成であることである。図７（ｂ）の選択回路８０では、生成した選択信号をバッファし、次段のディスプレイ駆動装置へ送信する機能を備えており、図２に示す構成で選択信号が転送される。
【００４２】
図２では初段のディスプレイ駆動装置６０内の選択回路８０に伝送路１０１より制御信号が入力され、選択回路８０内で生成された選択信号は初段のディスプレイ駆動装置６０内の選択回路信号伝送線８２を通り、伝送路２０１を通して次段のディスプレイ駆動装置６０へと転送され、その後次段以降のディスプレイ駆動装置６０間を順次転送される。
【００４３】
図７（ｂ）に示す選択回路８０は、一方の入力端子はＬ信号が常に入力され、もう一方の入力端子は制御信号または選択信号が入力される端子４０へ接続されたＡＮＤ回路と、ＡＮＤ回路の出力した信号をバッファし選択回路信号伝送線へと出力するバッファ回路と、入力端子４０に入力端子が接続され、出力端子が信号線８１とインバータ回路に接続されるバッファ回路と、信号線８３に出力端子が接続されたインバータ回路とで構成されており、入力端子４０に入力された制御信号または選択信号がＨ信号であった場合、選択回路信号伝送線８２へＬ信号が出力され、制御信号または選択信号がＬ信号であった場合は選択信号伝送線へはＬ信号が出力される。ここで、信号線８１、信号線８３は入力端子４０の信号極性を基に選択信号が出力される。
【００４４】
このような構成にする事により、初段のディスプレイ駆動装置６０へのみ制御信号を入力すればよく、各ディスプレイ駆動装置６０への制御信号を入力するための部品を必要としない為、コストを削減する事が出来る。
【００４５】
（実施の形態３）
次に、本発明の第３の実施形態について説明する。
【００４６】
第１、第２の実施形態と異なるところは、図１、図２の信号受信回路部２０が図４（ｃ）に示す構成であることである。
【００４７】
図４（ｃ）では信号受信回路部２０は、信号受信回路群２１と信号受信回路群２２で構成されており、受信回路群２１は差動信号受信回路として入力される信号線数の１／２の数のコンパレータ回路で構成され、信号受信回路群２２はシングルエンド信号受信回路として入力される信号線数と同じ数のバッファ回路で構成されている。このとき、コンパレータ回路の入力端子には、それぞれバッファ回路の入力端子が接続されている。
【００４８】
また、コンパレータ回路には信号線８１によって選択信号が入力され、選択信号がＨ信号であればコンパレータ回路は動作し、Ｌ信号であれば機能が停止され、バッファ回路には信号線８３によって信号線８１と逆極性の選択信号が入力され、選択信号がＨ信号であればバッファ回路は動作し、Ｌ信号であれば機能が停止される。
【００４９】
このような構成にする事により、消費電流を削減する事が出来る。
【００５０】
ここで図４（ｃ）の信号受信回路部２０の代わりに図４（ｄ）の信号受信回路部２０を用いても良い。図４（ｄ）の信号受信回路部２０では、受信回路群２１、受信回路群２２それぞれの入力端子をそれぞれ別々に持つ。
【００５１】
このような構成にする事により、伝送路１０１および伝送路２０１の伝送路負荷を削減する事が出来る。
【００５２】
（実施の形態４）
次に、本発明の第４の実施形態について説明する。
【００５３】
第１、第２、第３の実施形態と異なるところは、図１、図２の信号受信回路部２０が図５（ａ）に示す構成であることである。
【００５４】
図５（ａ）の信号受信回路部２０の構成は、入力される信号と同じ数だけのシングルエンド信号の受信回路群２２が設けられている。
【００５５】
タイミングコントローラ１０から出力された複数のシングルエンド信号（表示データ信号、クロック信号）は、それぞれ伝送路１０１を通り初段のディスプレイ駆動装置６０へ入力される。初段のディスプレイ駆動装置６０では、Ｈ信号の制御信号が選択回路８０に入力され、選択回路８０によって選択信号が生成され、初段のディスプレイ駆動装置６０として動作するように機能が選択されている。
【００５６】
初段のディスプレイ駆動装置６０へ入力されたシングルエンド信号は、信号受信回路部２０内の信号線と同じ数だけの受信回路群２２でそれぞれ受信され、初段のディスプレイ駆動装置６０内の信号線２１１を通り信号制御回路５０へ入力される。
【００５７】
信号制御回路５０では、選択信号によって入力された信号を２分周し、さらに信号線本数を２倍にする機能が選択され、信号線２２１へ出力する。
【００５８】
信号制御回路５０から信号線２２１を通して出力された信号は信号送信回路部３０内の送信回路３１に入力され、シングルエンド信号で伝送路２０１へ出力され、次段のディスプレイ駆動装置６０へと転送される。
【００５９】
次段のディスプレイ駆動装置６０では、Ｌ信号の制御信号が選択信号８０に入力され、選択回路８０によって選択信号が生成され、次段のディスプレイ駆動装置６０として動作するように機能が選択されている。
【００６０】
次段のディスプレイ駆動装置６０へ入力されたシングルエンド信号は、信号受信回路部２０内の全ての受信回路群２２でそれぞれ受信され、次段のディスプレイ駆動装置６０内の信号線２１１を通り信号制御回路５０へ入力される。
【００６１】
信号制御回路５０では、選択信号によって入力された信号の周波数と、信号線本数の関係を保ったまま出力する機能が選択され、信号線２２１へ出力する。
【００６２】
信号制御回路５０から信号線２１１を通して出力された信号は信号送信回路部３０内の送信回路３１に入力され、シングルエンド信号で伝送路２０１へ出力され、次段のディスプレイ駆動装置６０へと転送され、このように順次最後尾のディスプレイ駆動装置６０へと転送されていく。
【００６３】
（実施の形態５）
次に、本発明の第５の実施形態について説明する。
【００６４】
第４の実施形態と異なるところは、図１、図２の信号受信回路部が図５（ｂ）に示す構成であることである。
【００６５】
図５（ｂ）の信号受信回路部２０では、入力される信号線数の半分の受信回路群２２に選択信号の逆極性の信号が出力される信号線８３が入力されており、信号線８３の信号がＬ信号であれば、半分の受信回路群２２が機能を停止する。
【００６６】
このような構成にする事により、消費電流を削減する事が出来る。
【００６７】
（実施の形態６）
次に本発明の第６の実施形態について説明する。
【００６８】
第１から第５の実施形態と異なるところは、図１、図２の信号制御回路が図９に示す構成であることである。
【００６９】
図９で信号制御回路５０は分周出力回路５１と保持出力回路５２とで構成されており、分周出力回路５１は信号線２１１から入力される信号をバッファするバッファ回路と、バッファの出力信号を遮断もしくは導通させるスイッチ回路９０と、スイッチ回路９０から出力される信号をＣＬＫ信号または基準信号を基に分周し、信号線分割出力するためのフリップフロップ回路と、フリップフロップ回路から出力される信号をバッファし、信号線２２１へ出力するバッファ回路と、ＣＬＫ信号または基準信号を反転させるためのインバータ回路と、ＣＬＫ信号または基準信号を分周するための分周回路と、分周回路から出力されたＣＬＫ信号または基準信号をそのままの極性で信号線２２１へ出力するバッファ回路と、極性を反転させて信号線２２１へ出力するインバータ回路とバッファ回路とで構成されている。
【００７０】
保持出力回路５２は信号線２１１から入力される信号をバッファするバッファ回路と、バッファの出力信号を遮断もしくは導通させるスイッチ回路９０と、スイッチ回路９０から出力される信号をバッファし、信号線２２１へ出力するためのバッファ回路とで構成されている。
【００７１】
このとき、スイッチ回路９０は信号線８１または信号線８３から入力される信号がＨ信号であれば導通状態となり、Ｌ信号であれば遮断状態となる。
【００７２】
選択回路８０に制御信号としてＨ信号が入力された場合、分周出力回路５１は、信号線２１１から入力される信号を受信し、受信した信号のうちＣＬＫ信号または基準信号を基にデータ信号を２分周し、さらに信号線数を２倍にして信号線２２１へと出力する。このとき、ＣＬＫ信号または基準信号も２分周し、入力された信号と同じ位相の信号と、インバータ回路を通して位相を反転させたものの２対の信号として信号線２２１へと出力する。
【００７３】
このとき、保持出力回路５２は信号線２１１から入力される信号はスイッチ回路９０によって接続が切断される。
【００７４】
一方、選択回路８０に制御信号としてＬ信号が入力された場合、分周出力回路５１は、信号線２１１から入力される信号はスイッチ回路９０によって接続が切断され、保持出力回路５２は信号線２１１から入力された信号をバッファし、さらにバッファ回路によって信号線２２１へと出力する。
【００７５】
ここでスイッチ回路９０は一般的なスイッチでよいが、例えば図１３のように構成されている。
【００７６】
このような構成にする事により、位相の異なる２対のクロック信号または基準信号を伝送する事により、ディスプレイ駆動装置６０内での内部回路への信号取り込みが容易となる。
【００７７】
（実施の形態７）
次に、本発明の第７の実施形態について説明する。
【００７８】
第１から第６の実施形態と異なるところは、図１、図２の信号制御回路が図１０に示す構成であることである。
【００７９】
図１０で信号制御回路５０は分周出力回路５１と保持出力回路５２とで構成されており、分周出力回路５１は信号線２１１から入力される信号をバッファするバッファ回路と、バッファの出力信号を遮断もしくは導通させるスイッチ回路９０と、スイッチ回路９０から出力される信号をＣＬＫ信号または基準信号を基に分周し、信号線分割出力するためのフリップフロップ回路と、フリップフロップ回路から出力される信号をバッファし、信号線２２１へ出力するバッファ回路と、ＣＬＫ信号または基準信号を反転させるためのインバータ回路と、ＣＬＫ信号または基準信号をそのままの極性で信号線２２１へ出力するバッファ回路と、極性を反転させて信号線２２１へ出力するインバータ回路とバッファ回路とで構成されている。
【００８０】
保持出力回路５２は信号線２１１から入力される信号をバッファするバッファ回路と、バッファの出力信号を遮断もしくは導通させるスイッチ回路９０と、スイッチ回路９０から出力される信号をバッファし、信号線２２１へ出力するためのバッファ回路とで構成されている。
【００８１】
このとき、スイッチ回路９０は信号線８１または信号線８３から入力される信号がＨ信号であれば導通状態となり、Ｌ信号であれば遮断状態となる。
【００８２】
選択回路８０に制御信号としてＨ信号が入力された場合、分周出力回路５１は、信号線２１１から入力される信号を受信し、受信した信号のうちＣＬＫ信号または基準信号を基にデータ信号を２分周し、さらに信号線数を２倍にして信号線２２１へと出力する。このとき、ＣＬＫ信号または基準信号は入力された信号周波数を保持したまま、入力された信号と同じ位相の信号と、インバータ回路を通して位相を反転させたものの２対の信号として信号線２２１へと出力する。
【００８３】
このとき、保持出力回路５２は信号線２１１から入力される信号はスイッチ回路９０によって接続が切断される。
【００８４】
一方、選択回路８０に制御信号としてＬ信号が入力された場合、分周出力回路５１は、信号線２１１から入力される信号はスイッチ回路９０によって接続が切断され、保持出力回路５２は信号線２１１から入力された信号をバッファし、さらにバッファ回路によって信号線２２１へと出力する。
【００８５】
ここでスイッチ回路９０は一般的なスイッチでよいが、例えば図１３のように構成されている。
【００８６】
このような構成にする事により、データ信号に対してＣＬＫ信号または基準信号が２倍の周波数となり、さらに位相の異なる２対のクロック信号または基準信号を伝送する事により、ディスプレイ駆動装置６０内での内部回路への信号取り込みにおいて信号間タイミング設計が容易となる。
【００８７】
（実施の形態８）
次に、本発明の第８の実施形態について説明する。
【００８８】
第１から第７の実施形態と異なるところは、図１、図２の信号制御回路が図１１に示す構成であることである。
【００８９】
また、図１、図２の信号受信部において信号受信回路部２０内の受信回路群２２では、入力される信号線数より１本少ない数の受信回路で構成される。
【００９０】
図１１で信号制御回路５０は分周出力回路５１と保持出力回路５２とで構成されており、分周出力回路５１は信号線２１１から入力される信号をバッファするバッファ回路と、バッファの出力信号を遮断もしくは導通させるスイッチ回路９０と、スイッチ回路９０から出力される信号をＣＬＫ信号または基準信号を基に分周し、信号線分割出力するためのフリップフロップ回路と、フリップフロップ回路から出力される信号をバッファし、信号線２２１へ出力するバッファ回路と、ＣＬＫ信号または基準信号を反転させるためのインバータ回路と、ＣＬＫ信号または基準信号をそのままの極性で分周して信号線２２１へ出力する分周回路と、バッファ回路とで構成されている。
【００９１】
保持出力回路５２は信号線２１１から入力される信号をバッファするバッファ回路と、バッファの出力信号を遮断もしくは導通させるスイッチ回路９０と、スイッチ回路９０から出力される信号をバッファし、信号線２２１へ出力するためのバッファ回路とで構成されている。
【００９２】
このとき、スイッチ回路９０は信号線８１または信号線８３から入力される信号がＨ信号であれば導通状態となり、Ｌ信号であれば遮断状態となる。
【００９３】
選択回路８０に制御信号としてＨ信号が入力された場合、分周出力回路５１は、信号線２１１から入力される信号を受信し、受信した信号のうちＣＬＫ信号または基準信号を基にデータ信号を２分周し、さらに信号線数を２倍にして信号線２２１へと出力する。このとき、ＣＬＫ信号または基準信号は２分周され、入力された信号と同じ位相の信号を信号線２２１へと出力する。
【００９４】
このとき、保持出力回路５２は信号線２１１から入力される信号はスイッチ回路９０によって接続が切断される。
【００９５】
一方、選択回路８０に制御信号としてＬ信号が入力された場合、分周出力回路５１は、信号線２１１から入力される信号はスイッチ回路９０によって接続が切断され、保持出力回路５２は信号線２１１から入力された信号をバッファし、さらにバッファ回路によって信号線２２１へと出力する。
【００９６】
ここでスイッチ回路９０は一般的なスイッチでよいが、例えば図１３のように構成されている。
【００９７】
このような構成にする事により、ＣＬＫ信号または基準信号は１／２倍の信号線本数となり、端子を削減することができさらには伝送に関する消費電流を削減する事ができる。
【００９８】
（実施の形態９）
次に、本発明の第９の実施形態について説明する。
【００９９】
第８の実施形態と異なるところは、図１、図２の信号制御回路が図１２に示す構成であることである。
【０１００】
図１２で信号制御回路５０は分周出力回路５１と保持出力回路５２とで構成されており、分周出力回路５１は信号線２１１から入力される信号をバッファするバッファ回路と、バッファの出力信号を遮断もしくは導通させるスイッチ回路９０と、スイッチ回路９０から出力される信号をＣＬＫ信号または基準信号を基に分周し、信号線分割出力するためのフリップフロップ回路と、フリップフロップ回路から出力される信号をバッファし、信号線２２１へ出力するバッファ回路と、ＣＬＫ信号または基準信号を反転させるためのインバータ回路と、ＣＬＫ信号または基準信号をそのままの極性で入力された信号周波数を保持したまま信号線２２１へ出力する分周回路と、バッファ回路とで構成されている。
【０１０１】
保持出力回路５２は信号線２１１から入力される信号をバッファするバッファ回路と、バッファの出力信号を遮断もしくは導通させるスイッチ回路９０と、スイッチ回路９０から出力される信号をバッファし、信号線２２１へ出力するためのバッファ回路とで構成されている。
【０１０２】
このとき、スイッチ回路９０は信号線８１または信号線８３から入力される信号がＨ信号であれば導通状態となり、Ｌ信号であれば遮断状態となる。
【０１０３】
選択回路８０に制御信号としてＨ信号が入力された場合、分周出力回路５１は、信号線２１１から入力される信号を受信し、受信した信号のうちＣＬＫ信号または基準信号を基にデータ信号を２分周し、さらに信号線数を２倍にして信号線２２１へと出力する。このとき、ＣＬＫ信号または基準信号は、入力された信号と同じ位相で、入力された信号周波数を保持したままの信号を信号線２２１へと出力する。
【０１０４】
このとき、保持出力回路５２は信号線２１１から入力される信号はスイッチ回路９０によって接続が切断される。
【０１０５】
一方、選択回路８０に制御信号としてＬ信号が入力された場合、分周出力回路５１は、信号線２１１から入力される信号はスイッチ回路９０によって接続が切断され、保持出力路５２は信号線２１１から入力された信号をバッファし、さらにバッファ回路によって信号線２２１へと出力する。
【０１０６】
ここでスイッチ回路９０は一般的なスイッチでよいが、例えば図１３のように構成されている。
【０１０７】
このような構成にする事により、ＣＬＫ信号または基準信号は１／２倍の信号線本数となり、端子を削減することができさらには伝送に関する消費電流を削減する事ができ、またデータ信号に対してＣＬＫ信号または基準信号が２倍の周波数となるため、データ取り込みの際にタイミング設計が容易となる。
【０１０８】
（実施の形態１０）
次に、本発明の第１０の実施形態について説明する。
【０１０９】
第９の実施形態までと異なるところは、図１、図２の選択回路８０が図２２に示す構成であり、信号受信回路部２０が図１８に示す構成であり、信号送信回路部３０が図１９に示す構成であることである。
【０１１０】
図２２では、選択回路８０にＰＭＯＳトランジスタとＮＭＯＳトランジスタで構成された切り替えスイッチが接続され、ディスプレイ駆動装置６０外部から入出力端子４１へ制御信号が入力される場合は、入出力端子４３にディスプレイ駆動装置６０外部から方向選択信号としてＨ信号が入力され、入出力端子４２へ選択回路信号伝送線８２が接続され、ディスプレイ駆動装置６０外部から入出力端子４２へ制御信号が入力される場合は、入出力端子４３にディスプレイ駆動装置６０外部から方向選択信号としてＬ信号が入力され、入出力端子４１へ選択回路信号伝送線８２が接続される。
【０１１１】
また、入出力端子４３、入出力端子４４はお互いに隣り合うディスプレイ駆動装置６０の入出力端子４４、入出力端子４３と接続される。
【０１１２】
図１８では、信号受信回路部の入力端子のそれぞれにスイッチ回路９０を介して信号送信回路３０の出力端子が接続されており、受信回路群２１の出力端子はスイッチ回路９０を介して信号線２１１へ接続され、受信回路群２２の出力端子はスイッチ回路９０を介して信号線４０１によって信号線切り換え回路４０２へ接続される。
【０１１３】
また、信号線４０１にはスイッチ回路９０を介して信号送信回路部３０の入力端子が接続されている。信号線切り換え回路４０２は図２３のような構成になっている。
【０１１４】
図２３では、信号線４０１に対して、極性の異なるＭＯＳトランジスタによってそれぞれ信号線２１１、信号線２２１へ接続されており、方向選択信号によって信号線４０１と信号線２１１、信号線２２１のそれぞれが接続され、方向選択信号がＨ信号であれば信号線４０１は信号線２１１へと接続され、方向選択信号がＬ信号であれば信号線４０１は信号線２２１へと接続が切り替えられる。
【０１１５】
方向選択信号は、信号線切り換え回路４０２及び信号受信回路部２０の出力端子に接続されているスイッチ回路と信号受信回路部２０の入力端子と信号送信回路部３０の出力端子に接続されているスイッチ回路及び信号送信回路部３０の入力端子に接続されているスイッチ回路９０とは逆極性となるようにインバータ回路を介して入力される。
【０１１６】
図１９では、信号受信回路部の入力端子のそれぞれにスイッチ回路９０を介して信号送信回路３０の出力端子が接続されており、受信回路群２１の出力端子はスイッチ回路９０を介して信号線２１１へ接続され、受信回路群２２の出力端子はスイッチ回路９０を介して信号線４０１によって信号線切り換え回路４０２へ接続される。
【０１１７】
また、信号線４０１にはスイッチ回路９０を介して信号送信回路部３０の入力端子が接続されている。信号線切り換え回路４０２は図２３のような構成になっている。
【０１１８】
図２３では、信号線４０１に対して、極性の異なるＭＯＳトランジスタによってそれぞれ信号線２１１、信号線２２１へ接続されており、方向選択信号によって信号線４０１と信号線２１１、信号線２２１のそれぞれが接続され、方向選択信号がＨ信号であれば信号線４０１は信号線２１１へと接続され、方向選択信号がＬ信号であれば信号線４０１は信号線２２１へと接続が切り替えられる。
【０１１９】
方向選択信号は、図１８の信号線切り換え回路４０２およびスイッチ回路９０に入力される極性とは逆の極性になるように、信号線切り換え回路４０２及び信号受信回路部２０の出力端子に接続されているスイッチ回路と信号受信回路部２０の入力端子と信号送信回路部３０の出力端子に接続されているスイッチ回路及び信号送信回路部３０の入力端子に接続されているスイッチ回路９０とは逆極性となるようにインバータ回路を介して入力される。
【０１２０】
このような構成にする事により、方向信号にＨ信号が入力されると選択回路８０はディスプレイ駆動装置６０左端に接続された端子から入力される制御信号をディスプレイ駆動装置内に選択信号８１、選択信号８３と取り込むと同時にディスプレイ駆動装置６０右端に接続された端子から選択信号を出力し、次段のディスプレイ駆動装置６０へと転送する事が出来る。
【０１２１】
また、図１８では、方向選択信号にＨ信号が入力されることにより、信号送信回路部３０の接続が切り離され、信号線切り換え回路４０２では信号線４０１が信号線２１１と接続するように切り替わるため、ディスプレイ駆動装置６０左端に接続された端子から入力された信号は、信号受信回路部２０によって受信され、信号制御回路５０の入力端子へと転送される。図１９では、方向選択信号にＨ信号が入力されることにより、信号受信回路部２０の接続が切り離され、信号線切り換え回路４０２では信号線４０１が信号線２２１と接続するように切り替わるため、ディスプレイ駆動装置６０右端に接続された端子から、次段のディスプレイ駆動装置６０へと信号を転送する事が出来る。
【０１２２】
次に、方向信号にＬ信号が入力されると選択回路８０はディスプレイ駆動装置６０右端に接続された端子から入力される制御信号をディスプレイ駆動装置内に選択信号８１、選択信号８３と取り込むと同時にディスプレイ駆動装置６０左端に接続された端子から選択信号を出力し、次段のディスプレイ駆動装置６０へと転送する事が出来る。また図１９では、方向選択信号にＬ信号が入力されることにより、信号送信回路部３０の接続が切り離され、信号線切り換え回路４０２では信号線４０１が信号線２１１と接続するように切り替わるため、ディスプレイ駆動装置６０右端に接続された端子から入力された信号は、信号受信回路部２０によって受信され、信号制御回路５０の入力端子へと転送される。
【０１２３】
図１８では、方向選択信号にＬ信号が入力されることにより、信号受信回路部２０の接続が切り離され、信号線切り換え回路４０２では信号線４０１が信号線２２１と接続するように切り替わるため、ディスプレイ駆動装置６０左端に接続された端子から、次段のディスプレイ駆動装置６０へと信号を転送する事が出来る。
【０１２４】
このような回路構成にする事により、１種類のディスプレイ駆動装置６０に方向を示すための信号を入力する事により左右どちらへも信号を入出力する事ができるため、右方向専用ディスプレイ駆動装置、左方向専用ディスプレイ駆動装置の２種類の駆動装置を用いる場合に比べパネル組み立てコストを削減する事ができ、さらにディスプレイ駆動装置６０のコストも削減する事が出来る。
【０１２５】
（実施の形態１１）
次に、本発明の第１１の実施形態について説明する。
【０１２６】
これまでの実施形態と異なるところは、図１、図２の選択回路８０が図２２に示す構成であり、信号受信回路部２０が図２０に示す構成であり、信号送信回路部３０が図２１に示す構成であることである。
【０１２７】
図２２では、選択回路８０にＰＭＯＳトランジスタとＮＭＯＳトランジスタで構成された切り替えスイッチが接続され、ディスプレイ駆動装置６０外部から入出力端子４１へ制御信号が入力される場合は、入力端子４３にディスプレイ駆動装置６０外部から方向選択信号としてＨ信号が入力され、入出力端子４２へ選択回路信号伝送線８２が接続され、ディスプレイ駆動装置６０外部から入力端子４２へ制御信号が入力される場合は、入力端子４３にディスプレイ駆動装置６０外部から方向選択信号としてＬ信号が入力され、入出力端子４１へ選択回路信号伝送線８２が接続される。
【０１２８】
また、入出力端子４３、入出力端子４４はお互いに隣り合うディスプレイ駆動装置６０の入出力端子４４、入出力端子４３と接続される。
【０１２９】
図２０では、信号受信回路部の入力端子のそれぞれにスイッチ回路９０を介して信号送信回路３０の出力端子が接続されており、受信回路群２２の出力端子はスイッチ回路９０を介して信号線４０１によって信号線切り換え回路４０２へ接続される。
【０１３０】
また、信号線４０１にはスイッチ回路９０を介して信号送信回路部３０の入力端子が接続されている。信号線切り換え回路４０２は図２３のような構成になっている。
【０１３１】
図２３では、信号線４０１に対して、極性の異なるＭＯＳトランジスタによってそれぞれ信号線２１１、信号線２２１へ接続されており、方向選択信号によって信号線４０１と信号線２１１、信号線２２１のそれぞれが接続され、方向選択信号がＨ信号であれば信号線４０１は信号線２１１へと接続され、方向選択信号がＬ信号であれば信号線４０１は信号線２２１へと接続が切り替えられる。
【０１３２】
方向選択信号は、信号線切り換え回路４０２及び信号受信回路部２０の出力端子に接続されているスイッチ回路と信号受信回路部２０の入力端子と信号送信回路部３０の出力端子に接続されているスイッチ回路及び信号送信回路部３０の入力端子に接続されているスイッチ回路９０とは逆極性となるようにインバータ回路を介して入力される。
【０１３３】
図２１では、信号受信回路部の入力端子のそれぞれにスイッチ回路９０を介して信号送信回路３０の出力端子が接続されており、受信回路群２２の出力端子はスイッチ回路９０を介して信号線４０１によって信号線切り換え回路４０２へ接続される。
【０１３４】
また、信号線４０１にはスイッチ回路９０を介して信号送信回路部３０の入力端子が接続されている。信号線切り換え回路４０２は図２３のような構成になっている。
【０１３５】
図２３では、信号線４０１に対して、極性の異なるＭＯＳトランジスタによってそれぞれ信号線２１１、信号線２２１へ接続されており、方向選択信号によって信号線４０１と信号線２１１、信号線２２１のそれぞれが接続され、方向選択信号がＨ信号であれば信号線４０１は信号線２１１へと接続され、方向選択信号がＬ信号であれば信号線４０１は信号線２２１へと接続が切り替えられる。
【０１３６】
方向選択信号は、図２０の信号線切り換え回路４０２およびスイッチ回路９０に入力される極性とは逆の極性になるように、信号線切り換え回路４０２及び信号受信回路部２０の出力端子に接続されているスイッチ回路と信号受信回路部２０の入力端子と信号送信回路部３０の出力端子に接続されているスイッチ回路及び信号送信回路部３０の入力端子に接続されているスイッチ回路９０とは逆極性となるようにインバータ回路を介して入力される。
【０１３７】
このような構成にする事により、方向信号にＨ信号が入力されると選択回路８０はディスプレイ駆動装置６０左端に接続された端子から入力される制御信号をディスプレイ駆動装置内に選択信号８１、選択信号８３と取り込むと同時にディスプレイ駆動装置６０右端に接続された端子から選択信号を出力し、次段のディスプレイ駆動装置６０へと転送する事が出来る。
【０１３８】
また図２０では、方向選択信号にＨ信号が入力されることにより、信号送信回路部３０の接続が切り離され、信号線切り換え回路４０２では信号線４０１が信号線２１１と接続するように切り替わるため、ディスプレイ駆動装置６０左端に接続された端子から入力された信号は、信号受信回路部２０によって受信され、信号制御回路５０の入力端子へと転送される。
【０１３９】
図２１では、方向選択信号にＨ信号が入力されることにより、信号受信回路部２０の接続が切り離され、信号線切り換え回路４０２では信号線４０１が信号線２２１と接続するように切り替わるため、ディスプレイ駆動装置６０右端に接続された端子から、次段のディスプレイ駆動装置６０へと信号を転送する事が出来る。
【０１４０】
次に、方向信号にＬ信号が入力されると選択回路８０はディスプレイ駆動装置６０右端に接続された端子から入力される制御信号をディスプレイ駆動装置内に選択信号８１、選択信号８３と取り込むと同時にディスプレイ駆動装置６０左端に接続された端子から選択信号を出力し、次段のディスプレイ駆動装置６０へと転送する事が出来る。
【０１４１】
また図２１では、方向選択信号にＬ信号が入力されることにより、信号送信回路部３０の接続が切り離され、信号線切り換え回路４０２では信号線４０１が信号線２１１と接続するように切り替わるため、ディスプレイ駆動装置６０右端に接続された端子から入力された信号は、信号受信回路部２０によって受信され、信号制御回路５０の入力端子へと転送される。
【０１４２】
図２０では、方向選択信号にＬ信号が入力されることにより、信号受信回路部２０の接続が切り離され、信号線切り換え回路４０２では信号線４０１が信号線２２１と接続するように切り替わるため、ディスプレイ駆動装置６０左端に接続された端子から、次段のディスプレイ駆動装置６０へと信号を転送する事が出来る。
【０１４３】
このような回路構成にする事により、受信回路群２２のみを持つ信号受信回路部２０においても１種類のディスプレイ駆動装置６０に方向を示すための信号を入力する事により左右どちらへも信号を入出力する事ができるため、右方向専用ディスプレイ駆動装置、左方向専用ディスプレイ駆動装置の２種類の駆動装置を用いる場合に比べパネル組み立てコストを削減する事ができ、さらにディスプレイ駆動装置６０のコストも削減する事が出来る。
【産業上の利用可能性】
【０１４４】
本発明のディスプレイ駆動装置によれば、カスケード接続方式においても高転送レート信号の品質を劣化させることなく転送させることができ、さらにはＥＭＩを削減することが可能となるので、ディスプレイ駆動装置をカスケードに接続する方式の表示装置として有用である。
【図面の簡単な説明】
【０１４５】
【図１】本発明のタイミングコントローラとディスプレイ駆動装置の第１の接続方法を示す図
【図２】本発明のタイミングコントローラとディスプレイ駆動装置の第２の接続方法を示す図
【図３】ディスプレイ装置の概略図
【図４】（ａ）〜（ｄ）本発明の受信回路を示す図
【図５】（ａ）、（ｂ）本発明の受信回路を示す図
【図６】本発明の送信回路を示す図
【図７】本発明の選択回路を示す図
【図８】本発明の信号選択回路を示す図
【図９】本発明の信号選択回路を示す図
【図１０】本発明の信号選択回路を示す図
【図１１】本発明の信号選択回路を示す図
【図１２】本発明の信号選択回路を示す図
【図１３】スイッチ回路を示す図
【図１４】ディスプレイ駆動装置制御信号用受信回路を示す図
【図１５】ディスプレイ駆動装置制御信号用送信回路を示す図
【図１６】従来のカスケード伝送周波数例を示す図
【図１７】本発明のカスケード伝送周波数例を示す図
【図１８】双方向送受信回路を示す図
【図１９】双方向送受信回路を示す図
【図２０】双方向送受信回路を示す図
【図２１】双方向送受信回路を示す図
【図２２】選択信号双方向回路を示す図
【図２３】信号線切り換え回路を示す図
【符号の説明】
【０１４６】
１０  タイミングコントローラ
２０  信号受信回路部
２１  受信回路群
２２  受信回路群
３０  信号送信回路部
３１  送信回路
４０  端子
４２  入出力端子
４３  入出力端子
４４  入出力端子
５０  信号制御回路
５１  分周出力回路
５２  保持出力回路
６０  ディスプレイ駆動装置
８０  選択回路
８１  信号線
８２  選択回路信号伝送線
８３  信号線
９０  スイッチ回路
１００  伝送路
１０１  伝送路
２１１  信号線
３００  ディスプレイ駆動装置
３１０  ディスプレイ装置
４０１  信号線
４０２  信号線切り換え回路
【図１】
2007079190.tif 000003
【図２】
2007079190.tif 000004
【図３】
2007079190.tif 000005
【図４】
2007079190.tif 000006
【図５】
2007079190.tif 000007
【図６】
2007079190.tif 000008
【図７】
2007079190.tif 000009
【図８】
2007079190.tif 000010
【図９】
2007079190.tif 000011
【図１０】
2007079190.tif 000012
【図１１】
2007079190.tif 000013
【図１２】
2007079190.tif 000014
【図１３】
2007079190.tif 000015
【図１４】
2007079190.tif 000016
【図１５】
2007079190.tif 000017
【図１６】
2007079190.tif 000018
【図１７】
2007079190.tif 000019
【図１８】
2007079190.tif 000020
【図１９】
2007079190.tif 000021
【図２０】
2007079190.tif 000022
【図２１】
2007079190.tif 000023
【図２２】
2007079190.tif 000024
【図２３】
2007079190.tif 000025